(57)【特許請求の範囲】
【請求項１】
ファン組立体であって、
空気入口と、
少なくとも１つの空気出口と、
インペラ及び該インペラを回転させて前記空気入口を通して空気を引き込むためのモータと、
少なくとも１つの加熱器組立体と、
ユーザが、速度設定値の単一のユーザ選択可能範囲から前記モータの速度設定値を選択し、ファン組立体の第１の作動モード及びファン組立体の第２の作動モードのうちの一方を選択することを可能にするための、ユーザインタフェースと、
前記ユーザ選択の速度設定値に応じて前記モータの回転速度を設定するための制御手段と、
ファン組立体が配置された環境の温度を表す温度を検出するための温度検出手段と、
を含み、
前記制御手段は、ファン組立体の前記第１の作動モードが選択された時に前記モータの前記回転速度を第１の値域から選択し、ファン組立体の前記第２の作動モードが選択された時に前記モータの前記回転速度を少なくとも１つの第２の値域から選択するように構成され、
前記値域の各々内で、各値は、前記ユーザ選択可能速度設定値のうちのそれぞれの１つに関連付けられ、
ファン組立体の前記第２の作動モードは、前記少なくとも１つの加熱器組立体が前記制御手段によって作動可能である加熱器モードであり、
前記ユーザインタフェースは、ユーザが温度設定値のユーザ選択可能範囲から温度設定値を選択することを可能にするように構成され、
前記制御手段は、前記加熱器モードにおいて、前記少なくとも１つの加熱器組立体を前記検出温度と前記選択温度の間の差に応じて駆動するように構成され、
前記制御手段は、前記ユーザが温度設定値の前記ユーザ選択可能範囲から最小温度設定値を選択した時に、前記モータの前記回転速度を前記第１の値域から選択し、該ユーザが温度設定値の該ユーザ選択可能範囲から該最小温度設定値以外の温度設定値を選択した時に、前記モータの前記回転速度を前記少なくとも１つの第２の値域から選択するように構成される、
ことを特徴とするファン組立体。
【請求項２】
各値域は、最大値及び最小値を有し、
前記値域の各々が、異なるそれぞれの最大値を有する、
ことを特徴とする請求項１に記載のファン組立体。
【請求項３】
前記値域の各々は、同じ最小値を有することを特徴とする請求項２に記載のファン組立体。
【請求項４】
前記ユーザインタフェースは、ファン組立体の前記選択された作動モードを連続的に表示するように構成されることを特徴とする請求項１から請求項３のいずれか１項に記載のファン組立体。
【請求項５】
ファン組立体の前記第１の作動モードは、前記少なくとも１つの加熱器組立体が前記制御手段によって作動可能ではないファンモードであることを特徴とする請求項１から請求項４のいずれか１項に記載のファン組立体。
【請求項６】
各値域は、最大値及び最小値を有し、前記第１の値域は、前記少なくとも１つの第２の値域の各々の前記最大値よりも高い最大値を有することを特徴とする請求項５に記載のファン組立体。
【請求項７】
前記第１の値域は、前記少なくとも１つの第２の値域の各々の前記最大値よりも少なくとも１，０００ｒｐｍ高い最大値を有することを特徴とする請求項６に記載のファン組立体。
【請求項８】
前記制御手段は、前記加熱器モードにおいて、前記モータの前記回転速度を、前記少なくとも１つの加熱器組立体の状態に応じて前記選択回転速度から離れるように変更するように構成されることを特徴とする請求項１から請求項７のいずれか１項に記載のファン組立体。
【請求項９】
前記制御手段は、前記加熱器モードにおいて、前記モータの前記回転速度を、前記少なくとも１つの加熱器組立体の状態に応じて設定値へ低下させるように構成されることを特徴とする請求項８に記載のファン組立体。
【請求項１０】
各値域は、最大値及び最小値を有し、前記設定値は、前記値域の各々の前記最小値よりも低いことを特徴とする請求項９に記載のファン組立体。
【請求項１１】
ユーザ選択可能速度設定値の数は、少なくとも５であることを特徴とする請求項１から請求項１０のいずれか１項に記載のファン組立体。
【請求項１２】
空気入口と、少なくとも１つの空気出口と、インペラと、該インペラを回転させて該空気入口を通して空気を引き込むためのモータと、少なくとも１つの加熱器組立体と、ユーザが速度設定値の単一のユーザ選択可能範囲から該モータの速度設定値を選択し且つユーザがファン組立体の第１の作動モード及びファン組立体の第２の作動モードのうちの一方を選択することを可能にするためのユーザインタフェースと、を含むファン組立体を制御する方法であって、
モータの回転速度が、ユーザ選択の速度設定値に応じて設定され、前記ファン組立体の前記第１の作動モードが選択された時に第１の値域から選択され、該ファン組立体の前記第２の作動モードが選択された時に少なくとも１つの第２の値域から選択され、
前記値域の各々内で、各値が、ユーザ選択可能速度設定値のうちのそれぞれの１つに関連付けられ、
前記ファン組立体の前記第２の作動モードは、前記少なくとも１つの加熱器組立体が作動可能である加熱器モードであり、
前記ファン組立体が配置された環境の温度を表す温度が検出され、
前記ユーザインタフェースは、ユーザが温度設定値のユーザ選択可能範囲から温度設定値を選択することを可能にするように構成され、
前記加熱器モードにおいて、前記少なくとも１つの加熱器組立体は、前記検出温度と前記選択温度の間の差に応じて作動され、
前記モータの前記回転速度は、前記ユーザが温度設定値の前記ユーザ選択可能範囲から最小温度設定値を選択した時に前記第１の値域から選択され、該ユーザが温度設定値の該ユーザ選択可能範囲から該最小温度設定値以外の温度設定値を選択した時に少なくとも１つの第２の値域から選択される、
ことを特徴とする方法。
【請求項１３】
各値域が、最大値及び最小値を有し、
前記値域の各々が、異なるそれぞれの最大値を有する、
ことを特徴とする請求項１２に記載の方法。
【請求項１４】
前記値域の各々が、同じ最小値を有することを特徴とする請求項１３に記載の方法。
【請求項１５】
前記ファン組立体の前記選択された作動モードは、連続的に表示されることを特徴とする請求項１２から請求項１４のいずれか１項に記載の方法。
【請求項１６】
前記ファン組立体の前記第１の作動モードは、前記少なくとも１つの加熱器組立体が作動可能ではないファンモードであることを特徴とする請求項１２から請求項１５のいずれか１項に記載の方法。
【請求項１７】
各値域は、最大値及び最小値を有し、前記第１の値域は、前記少なくとも１つの第２の値域の各々の前記最大値よりも高い最大値を有することを特徴とする請求項１６に記載の方法。
【請求項１８】
前記第１の値域は、前記少なくとも１つの第２の値域の各々の前記最大値よりも少なくとも１，０００ｒｐｍ高い最大値を有することを特徴とする請求項１７に記載の方法。
【請求項１９】
前記加熱器モードにおいて、前記モータの前記回転速度は、前記少なくとも１つの加熱器組立体の状態に応じて前記選択回転速度から離れるように変更されることを特徴とする請求項１２から請求項１８のいずれか１項に記載の方法。
【請求項２０】
前記加熱器モードにおいて、前記モータの前記回転速度は、設定値まで低減され、前記少なくとも１つの加熱器組立体は、前記検出温度が前記選択温度よりも高い時に作動停止されることを特徴とする請求項１９に記載の方法。
【請求項２１】
各値域は、最大値及び最小値を有し、前記設定値は、前記値域の各々の前記最小値よりも低いことを特徴とする請求項２０に記載の方法。
【請求項２２】
ユーザ選択可能速度設定値の数は、少なくとも５であることを特徴とする請求項１２から請求項２１のいずれか１項に記載の方法。
【発明の詳細な説明】
【技術分野】
【０００１】
本発明は、ファン組立体に関する。好ましい実施形態において、本発明は、部屋、オフィス、又は他の家庭環境に暖かい空気の流れを生成する加熱器モード、及び家庭環境に冷却空気の流れを生成するファンモードのうちの選択されたモードで使用することができるファン組立体に関する。
【背景技術】
【０００２】
従来の家庭用ファンは、典型的には、軸線の周りで回転するように装着された１組のブレード又はベーンと、ブレードの組を回転させて空気流を発生する駆動装置とを含む。空気流の移動及び循環は、「風冷」又は微風を作り出し、結果として、ユーザは、熱が対流及び蒸発により消散する時に冷却効果を体験する。
【０００３】
そのようなファンは、様々な大きさ及び形状で利用可能である。例えば、天井ファンは、少なくとも直径１ｍにすることができ、通常、天井から吊り下げ方式で装着され、空気の下降流を提供して部屋を冷却する。他方、デスクファンは、多くの場合、直径約３０ｃｍで、通常、自立形及び携帯式である。床置タワーファンは、一般的に、高さ約１ｍであり、かつ空気流を発生させる１つ又はそれよりも多くの組の回転ブレードを収容する細長い垂直に延びるケーシングを含む。首振り機構が使用される場合があり、タワーファンからの出口を回転させて、空気流が部屋の広い領域にわたって掃引される。
【０００４】
ファン加熱器は、一般的に、回転ブレードの背後又はその前のいずれかに配置されたいくつかの加熱要素を含み、加熱要素は、回転ブレードにより発生される空気流をユーザが加熱することを可能にしている。一般的に、加熱要素は、熱放射コイル又はフィンの形態とされる。通常、可変サーモスタット又はいくつかの所定の出力電力設定値が設けられ、ファン加熱器から放出される空気流の温度をユーザが制御することを可能にしている。
【０００５】
この形式の配置の欠点は、ファン加熱器の回転ブレードによって生成される空気流が一般的に均一でないことである。これは、ファン加熱器のブレード面にわたるか又は外側に向いた面にわたる変動による。これらの変動の程度は、製品毎に異なり、また個々のファン加熱器毎に異なる可能性がある。これらの変動は、空気の一連のパルスとして感じられ、かつユーザに対して不快である可能性がある乱流又は「不規則な」空気流の発生をもたらす。空気流の乱流から生じる更に別の欠点は、ファン加熱器の加熱効果が距離と共に急速に減少する可能性があることである。
【０００６】
家庭環境では、空間上の制約により、電気器具は、できるだけ小型かつコンパクトであるのが望ましい。電気器具の部品が外向きに突出すること、又はユーザがブレードのようないずれかの可動部品に触れることができるのは望ましくない。ファン加熱器は、ブレード及び熱放射コイルをケージ又は開口付きケーシングに収容する傾向があり、収容により可動ブレード又は高熱放射コイルのいずれかとの接触によるユーザ損傷を防止するが、そのような封入部品は清掃が困難になる可能性がある。その結果、ファン加熱器の使用と使用の間にある一定の量のほこり又は他の廃棄物がケーシング内及び熱放射コイル上に堆積する可能性がある。コイルの外面の温度は、熱放射コイルが作動する時に、特にコイルからの電力出力が比較的高い時に７００℃を超える値まで急速に上昇する可能性がある。その結果、ファン加熱器の使用と使用の間にコイルに積もったほこりの一部が燃焼する可能性があり、燃焼は、ある期間にわたってファン加熱器から不快な臭を放出する。
【０００７】
ＷＯ  ２０１２／０１７２１９は、ファン加熱器から空気を放出するためにケージ入りのブレードを使用しないファン加熱器を説明している。代わりに、ファン加熱器は、モータ作動されて１次空気流をベース内へ引き込むインペラを収容する基部と、基部に接続されかつ１次空気流がそこを通ってファンから放出される環状のマウスを含む環状のノズルとを含む。ノズルは、ファン組立体の局所環境にある空気が、マウスから放出される１次空気流によりそこを通って引き込まれる中央の開口部を形成し、１次空気流を増幅して空気の流れを生成する。空気の流れをファン加熱器から放出するためにブレード付きファンを使用することなく、比較的均一な空気の流れを発生させて部屋内へ又はユーザへ向けて案内することができる。ノズル内に複数の加熱器が配置されて、１次空気流をそれがマウスから放出される前に加熱する。加熱器をノズルに収容することにより、ユーザは、加熱器の熱い外面から遮断される。
【０００８】
各加熱器は、正の温度係数（ＰＴＣ）セラミック材料から形成された１列の加熱器要素を含む。加熱要素の列は、２つの熱放射構成要素の間に挟まれ、それらの各々は、フレーム内に配置された熱放射フィンのアレイを含む。フィンは、高い熱伝導率を有するアルミニウム又は他の材料から形成される。
【０００９】
ユーザは、基部のユーザインタフェース上に配置されたボタンを用いて又は遠隔制御器を用いて作動速度設定値を選択する。ファン加熱器の主制御回路は、ユーザの選択速度設定値に応じてモータの回転速度を設定する。
【先行技術文献】
【特許文献】
【００１０】
【特許文献１】ＷＯ  ２０１２／０１７２１９
【発明の概要】
【課題を解決するための手段】
【００１１】
第１の態様において、本発明は、空気入口と、少なくとも１つの空気出口と、インペラ及びインペラを回転させて空気入口を通して空気を引き込むためのモータと、少なくとも１つの加熱器組立体と、ユーザが速度設定値の単一のユーザ選択可能範囲からモータの速度設定値を選択すること及びユーザがファン組立体の第１の作動モード及びファン組立体の第２の作動モードのうちの一方を選択することを可能にするためのユーザインタフェースと、ユーザ選択速度設定値に応じてモータの回転速度を設定する制御手段とを含み、制御手段が、モータの回転速度をファン組立体の第１の作動モードが選択された時に第１の値域から選択し、かつ第２の作動モードが選択された時に少なくとも１つの第２の値域から選択するように構成され、値域の各々内で、各値が、ユーザ選択可能速度設定値のうちのそれぞれの１つに関連付けられているファン組立体を提供する。
【００１２】
ユーザインタフェースは、ユーザが、予め定義された速度設定値の単一のユーザ選択可能範囲からモータの速度設定値を選択すること、従って、少なくとも１つの空気出口から放出される空気の流量を選択することを可能にする。範囲は、好ましくは、少なくとも５つの異なるユーザ選択可能速度設定値を含み、より好ましくは、少なくとも８つの異なるユーザ選択可能速度設定値を含む。好ましい実施形態において、範囲は１０個の速度設定値を含み、ユーザは、インタフェースを使用して、この範囲内で設定値「１」から「１０」から選択することができる。モータは、好ましくは、ＤＣモータの形態とされ、ユーザにより選択することができる異なる設定値の数を最大にする。ユーザインタフェースは、１つ又はそれよりも多くのボタン又はダイヤル、又はタッチセンサ式スクリーンを含むことができ、ユーザが望ましい速度設定値を選択することを可能にする。代替的に又は追加的に、ユーザインタフェースは、ユーザの選択速度設定値を表す信号を送る遠隔制御器を含むことができる。速度設定値１は、モータの比較的低い回転速度に対応することができ、一方、設定値１０は、モータの比較的高い回転速度に対応することができる。従って、ユーザは、ユーザインタフェースを使用してモータの回転速度を間接的に設定することができ、ユーザは、モータの実際の回転速度には決して気付かず、より高い定格設定値の選択によりファン組立体から放出される流量が増加することが分るのみである。
【００１３】
ファン組立体は、第１の作動モード及び第２の作動モードを有する。ファン組立体の望ましい作動モードは、ユーザが、ユーザインタフェースを使用して選択可能である。第１のモードはファンモードとすることができ、それは、ファン組立体が部屋又は局所環境内で涼しい空気を発生させるために使用される場合にユーザにより選択される。第２の作動モードは加熱器モードとすることができ、それは、ファン組立体が部屋又は局所環境内で暖かい空気を発生させるために使用される場合にユーザにより選択される。第１の作動モード又は第２の作動モードは、代替的に、スポット加熱モードとすることができ、それは、ファン組立体の前方の局所環境内の空気を暖めるためにファン組立体が使用される場合にユーザにより選択される。更に別の代替案として、ファン組立体は、そのようなスポット加熱モードである第３の作動モードを有することができる。
【００１４】
制御手段は、ユーザ選択速度設定値及びファン組立体の選択作動モードの両方に応じて、モータの回転速度を設定するように構成される。第１の作動モードが選択された場合、制御手段は、第１の値域からモータの回転速度を設定するように構成される。第２の作動モードが選択された場合、制御手段は、第１の値域とは異なる少なくとも１つの第２の値域からモータの回転速度を設定するように構成される。
【００１５】
値域の各々内で、各値は、ユーザ選択可能速度設定値のぞれぞれの１つに関連付けられている。以下の表は、所定の供給電圧に対してモータの回転速度に関する第１の値域及び第２の値域の例を示し、そこでは、第１の作動モードはファンモードであり、第２の作動モードは加熱モードである。
【００１６】
（表）
0005891547.tif 000002
【００１７】
従って、いずれのユーザ選択可能速度設定値についても、制御手段は、ファン組立体の選択作動モードに関する最適のモータの回転速度を設定することができる。例えば、ユーザにより、速度設定値「１０」が選択され、かつ第１の作動モード又はファンモードが選択された場合、制御手段は、比較的高い速度を選択し、ファン組立体が配置された環境内で比較的速く移動する微風を生成する。一方、ユーザにより、速度設定値「１０」が選択され、かつ第２の作動モード又は加熱器モードが選択された場合、制御手段は、より低い速度を選択して、ファン組立体により加熱される環境内における通風の望ましくない生成を避ける。
【００１８】
上記表に示すように、各値域は最大値及び最小値を有し、値域の各々は、好ましくは、異なるそれぞれの最大値を有する。値域の各々は、同じ最小値又は異なるそれぞれの最小値を有することができる。
【００１９】
ユーザインタフェースは、ファン組立体の選択作動モードを連続的に表示するように構成される。例えば、ユーザインタフェースは、ユーザにより第１の作動モードが選択された場合に点灯するＬＥＤ又は他の光源と、ユーザにより第２の作動モードが選択された場合に点灯するＬＥＤ又は他の光源とを含む。光源は、それぞれの色の光を放射することができ、例えば、第１の光源は青色の光を放出し、第２の光源は赤色の光を放出することができる。
【００２０】
上述のように、ファン組立体の第１の作動モードは、好ましくはファンモードであり、少なくとも１つのファン組立体は、好ましくは、ファンモード中に制御手段により作動可能でないように構成される。換言すれば、ファンモード中に、モータは好ましくは外気温度に関係なく連続的に作動され、少なくとも１つのファン組立体は作動されない。ファンモードのこの第１の値域は、好ましくは、少なくとも１つの第２の値域の各々の最大値よりも大きい最大値を有する。第１の値域の最大値は、好ましくは、少なくとも１つの第２の値域の各々の最大値よりも少なくとも１，０００ｒｐｍだけ高い。
【００２１】
ファン組立体の第２の作動モードは、好ましくは、少なくとも１つのファン組立体がその間に制御手段により作動可能である加熱器モードである。ファン組立体は、好ましくは、ファン組立体が配置された環境の温度を表す温度を検出する温度検出手段を含み、ユーザインタフェースは、好ましくは、ユーザが温度設定値のユーザ選択可能範囲から温度設定値を選択することができるように構成される。制御手段は、好ましくは、加熱器モードでは、少なくとも１つの加熱器組立体を検出温度と選択温度の差に応じて駆動するように構成される。
【００２２】
例えば、検出温度が選択温度よりも低い場合、制御手段は、少なくとも１つの加熱器組立体を駆動して、ファン組立体が配置される部屋又は他の環境内の空気を加熱する。検出温度が上昇して選択温度を１℃又は他の値だけ超えると、制御手段は、少なくとも１つの加熱器組立体を停止させることができる。検出温度が低下して選択温度を約１℃又は他の値だけ下回ると、制御手段は、少なくとも１つの加熱器組立体を再駆動することができる。
【００２３】
制御手段は、加熱器モードでは、検出温度と選択温度の差に応じて又は少なくとも１つの加熱器組立体の状態に応じてモータの回転速度を選択回転速度から離すように変化させるべく構成することができる。例えば、ファン組立体が加熱器モードにある時に、検出温度が選択温度を超える場合及び／又は少なくとも１つの加熱器組立体が停止した場合に、制御手段は、モータの回転速度を１，０００ｒｐｍのような設定値へ低下させることができる。モータの回転速度がそこへ低下される設定値は、好ましくは、値域の各々の最小値よりも低い。
【００２４】
ユーザインタフェースは、１つ又はそれよりも多くのスイッチ、ボタン、ダイヤル、又は他のユーザ作動可能な特徴部を含むことができ、特徴部は、ユーザがファン組立体の望ましい作動モードを選択することを可能にする。しかし、制御手段は、好ましくは、ユーザが温度設定値のユーザ選択可能範囲から最小温度設定値を選択した場合には、モータの回転速度を第１の値域から選択し、ユーザが温度設定値のユーザ選択可能範囲から最小温度設定値以外の温度設定値を選択した場合には、モータの回転速度を少なくとも１つの第２の値域から選択するように構成される。それによってユーザインタフェースを簡素化することができる。
【００２５】
少なくとも１つの加熱器組立体は、好ましくは、少なくとも１つの正の温度係数（ＰＴＣ）加熱要素を含む。
【００２６】
ファン組立体は、少なくとも１つの加熱器組立体により引き出される電流のマグニチュードを検出する電流検出手段を含むことができ、制御手段は、好ましくは、加熱器モードでは、モータの回転速度をユーザにより選択された回転速度設定値とは独立して、かつ少なくとも１つの加熱器組立体により引き出される電流の特性に応じて制御するように構成することができる。
【００２７】
本発明者は、ＰＴＣ加熱要素を含む加熱器組立体により引き出される電力が、加熱器組立体を通る空気流の流量、従って、インペラを回転させて空気流を生成するモータの回転速度に応じて変化することに注目した。加熱器モードにおけるファン組立体の電力消費は、１つ又はそれよりも多くの加熱器組立体により引き出される電流のマグニチュードをモニタすること又はそうでなければそれを検出すること、及びユーザにより選択された空気流量設定値とは独立してかつ検出電流のマグニチュードに応じてモータの回転速度を制御することにより制御することができる。それによって加熱器モードにおけるファン組立体の電力消費が制御されて、それが設定された電力定格範囲にあることが可能になる。
【００２８】
少なくとも１つの加熱器組立体により引き出される電流の特性は、電流のマグニチュード、検出されたマグニチュードと所定値の間の差、及び電流の検出されたマグニチュードの変化率のうちの１つとすることができる。
【００２９】
電流検出手段は、加熱器制御回路によって提供することができ、それは、好ましくは、プリント回路基板組立体の形態とされ、それは、供給電流感知回路を含む。加熱器制御回路はまた、少なくとも１つのＰＴＣ加熱要素を制御するトライアック回路、及び加熱装置に引き込まれる空気流の温度を検出するサーミスタを含む。
【００３０】
制御手段は、好ましくは、個別のプリント回路基板組立体の形態とされた主制御回路によって提供することができる。主制御回路は、好ましくは、マイクロコントローラ又マイクロプロセッサユニット、主電源のような電源から電力を受け取る電源ユニット、及び好ましくはブラシレスＤＣモータドライバであるモータを駆動するモータドライバを含む。主制御回路は、少なくとも１つの加熱器組立体により引き出される電流のマグニチュードを表す信号を電流感知回路から受け取り、それらの信号に従ってモータの回転速度を制御するように構成される。ユーザインタフェースは、好ましくは、同様に個別のプリント回路基板組立体の形態とされて、ユーザ選択速度設定値を表す信号を主制御回路へ信号を送るユーザインタフェース制御回路を含む。ユーザインタフェース制御回路はまた、ユーザにより選択された望ましい温度設定値を表す信号を主制御回路へ伝えることができる。
【００３１】
加熱器モードでは、制御手段は、好ましくは、モータの回転速度ωを制御手段の第１の作動モード中のユーザ選択速度ωsとは独立して調整するように構成される。制御手段は、好ましくは、この第１の作動モードが、少なくとも１つの加熱組立体の駆動時に開始されるように構成される。第１の作動期間中の終了時に、制御手段は、好ましくは、ユーザにより選択された速度設定値に従って第２の値域からモータの回転速度を設定するように構成される。
【００３２】
制御手段は、好ましくは、第１の作動期間中に、モータの回転速度を少なくとも１つの加熱器組立体により引き出される電流の検出されたマグニチュードに応じて制御するように構成される。少なくとも１つの加熱器組立体が作動された場合、この電流は、少なくとも１つの加熱器組立体により引き出される突入電流である。
【００３３】
制御手段は、好ましくは、第１の作動期間中に、モータの回転速度を少なくとも１つの加熱器組立体により引き出される電流の検出されたマグニチュードに応じて、モータの回転速度に関する非ユーザ選択可能値域の１つに設定するように構成される。この非ユーザ選択可能領域は、モータの回転速度に関する第１の値域及び第２の値域と重複してもしなくても良いが、好ましくは、モータの回転速度に関するより低い値を含む。１つの例では、モータの回転速度の非ユーザ選択可能範囲は１，０００ｒｐｍから４，８００ｒｐｍの範囲にある。この非ユーザ選択可能範囲の最大値は、供給電圧のマグニチュードに応じて選択することができる。
【００３４】
上述のように、第１の作動期間中に、モータの回転速度は、検出された突入電流に応じて設定される。検出電流が上昇する時に、制御手段は、好ましくは、モータの回転速度ωを非ユーザ選択可能値域から選択されたより高い値へ上昇させるように構成される。第１の作動期間中に、少なくとも１つの加熱器組立体により引き出される電流Ｉの検出されたマグニチュードが、制御手段のこの第１の作動モードに関して設定された設定値Ｉmax1よりも大きい時に、制御手段は、モータの回転速度をモータの回転速度に関する非ユーザ選択可能値域内で最大値に維持するように構成される。Ｉmax1の値は、好ましくは、供給電圧に従って設定され、好ましくは、供給電圧に応じて５Ａから８Ａの範囲の値に設定することができる。
【００３５】
第１の作動期間の終わりに、制御手段は、好ましくは、回転速度をユーザにより選択された速度設定値に応じて、第２の値域から選択された値に設定するように構成される。制御手段は、好ましくは、少なくとも１つの加熱器組立体により引き出される電流のマグニチュードの変化率及び少なくとも１つの加熱器組立体により引き出される電流のマグニチュードのうちの一方に応じて第１の作動期間を終了させるように構成される。
【００３６】
制御手段は、少なくとも１つの加熱器組立体により引き出される電流の変化率ｄＩ／ｄｔが設定値よりも小さい場合、第１の作動期間を終了させるように構成される。第１の作動期間中に、少なくとも１つの加熱器組立体により引き出される電流のマグニチュードは、好ましくは、所定の間隔、例えば、０．５秒毎に検出され、連続的な電流検出の間に少なくとも１つの加熱器組立体により引き出される電流のマグニチュードの変化が測定される。電流のマグニチュードの変化が連続的な所定数の測定を超えて設定値を下回れば、制御手段は、好ましくは、第１の作動期間を終了するように構成される。この設定値のマグニチュードは、間隔に対して０．１Ａから０．２５Ａの範囲とすることができ、連続的な測定の回数は１０から２５の範囲とすることができる。設定値のマグニチュード及び連続的な測定の回数は、供給電圧に応じて選択することができる。例えば、供給電圧が２００Ｖよりも低い場合、制御手段は、少なくとも１つの加熱器組立体により引き出される電流のマグニチュードの変化率が、０．５秒の間隔で行われる２０回の連続的な測定にわたって０．２Ａよりも大きくない場合、第１の作動期間を終了させることができる。別の例として、供給電圧が２００Ｖより高い場合、制御手段は、少なくとも１つの加熱器組立体により引き出される電流のマグニチュードの変化率が、０．５秒の間隔で行われる１４回の連続的な測定にわたって０．１５Ａよりも大きくない場合、第１の作動期間を終了させるように構成することができる。
【００３７】
少なくとも１つの加熱器組立体により引き出される電流のマグニチュードの現在の変化率に関係なく、制御手段は、少なくとも１つの加熱器組立体により引き出される電流のマグニチュードが電流上限値Imax2を上回り、Ｉmax2＞Ｉmax1である場合に第１の作動期間を終了させるように構成される。Ｉmax2の値も、好ましくは供給電圧に応じて設定され、好ましくは、供給電圧に応じて８．９Ａから１３．１Ａの範囲の値に設定される。
【００３８】
第１の作動期間の終了に続いて、制御手段は第２の作動期間に入り、その期間中に、制御手段は、好ましくは、少なくとも１つの加熱器組立体により引き出される電流の検出されたマグニチュードに応じて、好ましくは、少なくとも１つの加熱器組立体により引き出される電流の検出されたマグニチュードに応じてモータの回転速度を変更することにより、モータの回転速度を調整するように構成される。少なくとも１つの加熱器組立体により引き出される電流の検出されたマグニチュードが電流上限値Ｉmax2を超える場合、制御手段は、好ましくは、モータの回転速度をユーザ選択値からより低い回転速度へ低下させるように構成される。
【００３９】
加熱器モードでは、制御手段は、好ましくは、少なくとも１つの加熱器組立体により引き出される電流の検出されたマグニチュードに応じて、複数の第２の値域のうちの１つからモータの回転速度を選択するように構成される。制御手段は、好ましくは、少なくとも５つの第２の値域を含み、より好ましくは、少なくとも８つの第２の値域を貯える。各第２の値域内で、各値は、それぞれの速度設定値に関連付けられている。値域の各々が含む各値は、それぞれの速度設定値に関連付けられている。以下の表は、所定の供給電圧に関するモータの回転速度に対して８つの異なる第２の値域の例を示している。
【００４０】
（表）
0005891547.tif 000003
【００４１】
制御手段は、第２の作動期間の開始時に、モータの回転速度を最高の値域、上記例では第２の速度範囲８から選択するように構成される。例えば、ユーザが速度設定値７を選択したならば、モータは、第２の回転期間の開始時に６，１５０ｒｐｍで回転する。少なくとも１つの加熱器組立体により引き出される電流の検出されたマグニチュードが電流上限値Ｉmax2を超える場合、制御手段は、モータの回転速度を次に低い最高の値域、この例では第２の速度範囲７から選択するように構成される。例えば、ユーザが速度設定値７を選択した場合、モータの回転速度は、６，０００ｒｐｍへ低下する。少なくとも１つの加熱器組立体により引き出される電流の検出されたマグニチュードに電流上限値よりも低い値までの低下がなかった場合には、制御手段は、好ましくは、少なくとも１つの加熱器組立体により引き出される電流の検出されたマグニチュードが電流上限値よりも低くなるまで、モータの回転速度の次に低い最高値の値域からの選択を継続する。
【００４２】
加熱器組立体により引き出される電流のマグニチュードが電流上限値を上回り、かつモータの回転速度は最低の第２の値域から選択された場合、制御回路は、好ましくは、加熱器組立体及びモータの両方の駆動を終了するように構成される。ユーザインタフェースは、制御回路により作動される場合があり、エラーメッセージを表示する。
【００４３】
第２の作動期間中に、モータの回転速度に低下がある場合、加熱器組立体により引き出される電流の検出されたマグニチュードが電流下限値Ｉmin2へ低下し、Ｉmin2＜Ｉmax2であるならば、制御手段は、好ましくは、モータの回転速度を上昇させてユーザ選択回転速度へ向けて戻すように構成される。Ｉmin2の値も、好ましくは、供給電圧に応じて設定され、好ましくは、供給電圧に応じて８．５Ａから１２．７Ａの範囲内で設定される。モータの回転速度を元のユーザ選択回転速度に向けて戻す場合、制御手段は、好ましくは、モータの回転速度での先の徐々の低下を反対にするように構成される。
【００４４】
装置は、好ましくは、供給電圧のマグニチュードを検出する電圧検出手段を含み、装置へ供給される電圧の検出されたマグニチュードが電圧下限値を下回り、かつ少なくとも１つの加熱器組立体により引き出される電流の検出されたマグニチュードが設定値よりも小さい時に、制御手段は、好ましくは、第２の作動期間を終了させて第３の作動期間を開始させるように構成される。この設定値は、好ましくは、第１の作動期間中にモニタされる設定値と同じである。
【００４５】
制御手段は、好ましくは、第３の作動期間中に、モータの回転速度を少なくとも１つの加熱器組立体により引き出される電流の検出されたマグニチュードに応じて、モータの回転速度に関する非ユーザ選択可能値域の１つに設定するように構成される。この値域は、好ましくは、第１の作動期間中に、制御手段がそこからモータの回転速度を設定する値域と同じである。少なくとも１つの加熱器組立体により引き出される電流の検出されたマグニチュードが上昇して設定値を超える場合、制御手段は、好ましくは、第１の作動期間を再開するように構成される。
【００４６】
少なくとも１つの空気出口は、好ましくは、複数の空気出口を含むことができ、少なくとも１つの加熱器組立体は、好ましくは、各々が空気入口からそれぞれの空気出口へ通る空気を加熱する少なくとも１つの正の温度係数（ＰＣＴ）加熱要素を含む複数の加熱器組立体を含むことができる。空気出口は、空気出口から放出される空気により空気がそこを通って引き込まれるボアの両側に配置することができる。
【００４７】
第２の態様において、本発明は、空気入口、少なくとも１つの空気出口、インペラ、インペラを回転させて空気入口を通して空気を引き込むためのモータ、少なくとも１つの加熱器組立体、及びユーザが速度設定値の単一のユーザ選択可能範囲からモータの速度設定値を選択すること及びユーザがファン組立体の第１の作動モード及びファン組立体の第２の作動モードのうちの一方を選択することを可能にするためのユーザインタフェースを含むファン組立体を制御する方法を提供し、モータの回転速度は、ユーザ選択速度設定値に応じて設定され、かつファン組立体の第１の作動モードが選択された時に第１の値域から、及びファン組立体の第２の作動モードが選択された時に少なくとも１つの第２の値域から選択され、値域の各々内で、各値が、ユーザ選択可能速度設定値のうちのそれぞれの１つに関連付けられる。
【００４８】
本発明の第１の態様に関連して説明した上記特徴は、本発明の第２の態様にも同様に当て嵌まり、その反対も成り立つ。
【００４９】
ここで、添付の図面を参照して本発明の実施形態を単に一例として説明する。
【図面の簡単な説明】
【００５０】
【図１】加熱装置の上方から見た正面斜視図である。
【図２】加熱装置の正面図である。
【図３】図２の線Ｂ−Ｂに沿った断面図である。
【図４】加熱装置のノズルの分解組立図である。
【図５】ノズルの加熱器シャーシの正面斜視図である。
【図６】ノズルの内側ケーシング部分に接続された加熱器シャーシの下方から見た正面斜視図である。
【図７】図６に示す領域Ｘの拡大図である。
【図８】図１に示す領域Ｙの拡大図である。
【図９】図２の線Ａ−Ａに沿った断面図である。
【図１０】図９に示す領域Ｚの拡大図である。
【図１１】図９の線Ｃ−Ｃに沿ったノズルの断面図である。
【図１２】加熱装置の制御システムの概略図である。
【発明を実施するための形態】
【００５１】
図１及び２は、ファン組立体１０の外観図である。ファン組立体１０は、携帯式ファン加熱器の形態とされる。ファン組立体１０は、１次空気流がそこを通ってファン組立体１０に入る空気入口１４を含む本体１２と、本体１２上に装着された環状のケーシングの形態とされたノズル１６とを含み、ノズルは、ファン組立体１０から１次空気流を放出するための少なくとも１つの空気出口１８を含む。
【００５２】
本体１２は、実質的に円筒形の下側本体部分２２上に装着された実質的に円筒形の主本体部分２０を含む。主本体部分２０及び下側本体部分２２は、好ましくは、実質的に同じ外径を有し、上側本体部分２０の外面が下側本体部分２２の外面と実質的に同一平面にある。この実施形態において、本体１２は、高さが１００ｍｍから３００ｍｍの範囲にあり、直径が１００ｍｍから２００ｍｍの範囲にある。
【００５３】
主本体部分２０は、１次空気流がそこを通ってファン組立体１０に入る空気入口１４を含む。この実施形態において、空気入口１４は、主本体部分２０に形成された開口のアレイを含む。代わりに、空気入口１４は、主本体部分２０に形成された窓内に装着された１つ又はそれよりも多くのグリル又はメッシュを含むことができる。主本体部分２０は、その上端で開放され（図示のように）、１次空気流が本体１２から排出される空気出口２３を提供する。
【００５４】
主本体部分２０は、下側本体部分２２に対して傾くことができ、１次空気流がファン組立体１０から放出される方向を調節する。例えば、下側本体部分２２の上面及び主本体部分２０の下面には、主本体部分２０の下側本体部分２２からの持ち上げを防止しながら、主本体部分２０の下側本体部分２２に対する移動を許す相互接続構造を含むことができる。例えば、下側本体部分２２及び主本体部分２０は、相互接続されたＬ字形部材を含むことができる。
【００５５】
下側本体部分２２は、ファン組立体１０のユーザインタフェースを含む。図１２も参照すると、ユーザインタフェースは、ユーザがファン組立体１０の様々な機能を制御することを可能にする複数のユーザ作動可能ボタン２４、２６、２８、３０と、ボタン間に配置されてユーザに例えばファン組立体１０の温度設定値を視覚的に表示するディスプレイ３２と、ボタン２４、２６、２８、３０及びディスプレイ３２に接続したユーザインタフェース制御回路３３とを含む。下側本体部分２２はまた、遠隔制御器３５（図１２に概略的に示す）からの信号がそこを通ってファン組立体１０に入る窓３４を含む。下側本体部分２２は、ファン組立体１０がその上に配置された面と係合する基部３６上に装着される。基部３６は、好ましくは、２００から３００ｍｍの範囲の直径を有する任意的な底板３８を含む。
【００５６】
ノズル１６は、環状形状を有し、中心軸Ｘの周りに延びて開口部４０を形成する。ファン組立体１０から１次空気流を放出するための空気出口１８は、ノズル１６の後方に向けて配置され、１次空気流を開口部４０を通してノズル１６の前方に向けるように構成される。この例では、ノズル１６は、その高さがその幅よりも大きな細長い開口部４０を形成し、空気出口１８は、開口部４０の細長い両側に配置される。この例では、開口部４０の最大高さは３００ｍｍから４００ｍｍの範囲にあるが、開口部４０の最大幅は１００ｍｍから２００ｍｍの範囲にある。
【００５７】
ノズル１６の内側の環状周囲は、空気出口１８に隣接して配置されて、その上に空気出口１８の少なくとも一部が配置されてファン組立体１０から放出された空気を向けるコアンダ面４２と、コアンダ面４２の下流に配置されたディフューザ面４４及びディフユーザ面４４の下流に配置されたガイド面４６とを含む。ディフューザ面４４は、開口部３８の中心軸Ｘから離れる時にテーパのつくように配置される。ディフューザ面４４と開口部４０の中心軸Ｘとの間で規定される角度は、５°から２５°の範囲にあり、この例では約７°である。ガイド面４６は、好ましくは、開口部３８の中心軸Ｘに対して実質的に平行に配置され、マウス４０から放出される空気流に対して実質的に平坦かつ実質的に滑らかな面を提供する。視覚的にアピールするテーパ面４８は、ガイド面４６の下流に配置され、開口部４０の中心軸Ｘに対して実質的に垂直に横たわる先端面５０で終端する。テーパ面４８と開口部４０の中心軸Ｘとの間で規定される角度は、好ましくは、約４５°である。
【００５８】
図３は、本体１２を通る断面図である。下側本体部分２２は、ユーザインタフェース制御回路３３に接続され全体が符号５２で示される主制御回路を収容する。主制御回路５２は、マイクロプロセッサ５３を含み、これは、図１２に概念的に示され、この例では、Ｒｅｎｅｚａｓの８ｂｉｔＲ８Ｃ／２Ｌマイクロコントローラである。ユーザインタフェース制御回路３３は、遠隔制御器３５から信号を受け取るセンサ５４を含む。センサ５４は、窓３４の背後に配置される。ユーザインタフェース制御回路３３は、ボタン２４、２６、２８、３０及び遠隔制御器３５の作動に応答して適切な信号を主制御回路５２へ伝達するように構成され、ファン組立体１０の様々な作動を制御する。ディスプレイ３２は、下側本体部分２２内に配置され、下側本体部分２２の一部を照らすように構成される。下側本体部分２２は、好ましくは、ユーザがディスプレイ３２を見ることができるように透光性のプラスチック材料から形成される。
【００５９】
下側本体部分２２はまた、基部３６に対して下側本体部分２２を首振りさせる全体が符号５６で示された機構を収容する。主制御回路５２は、首振り機構を駆動する首振りモータ制御回路５７を含む。首振り機構５６の作動は、遠隔制御器３５からの適切な制御信号の受信時又はボタン３０の作動時に主制御回路５２により制御される。基部３６に対する下側本体部分２２の各首振りサイクルの範囲は、好ましくは、６０°から１２０°であり、この実施形態では約８０°である。この実施形態において、首振り機構５６は、１分間当たり約３回から５回の首振りサイクルを行うように構成される。電力をファン組立体１０へ供給するための電源ケーブル５８が、基部３６に形成された開口を貫通して延びる。ケーブル５８は、プラグ６０に接続される。主制御回路５２は、ケーブル５８へ接続した電源ユニット６１、及び供給電圧のマグニチュードを検出する供給電圧感知回路６２を含む。
【００６０】
主本体部分２０は、１次空気流を空気入口１４を通して本体１２内へ引き込むインペラ６４を収容する。好ましくは、インペラ６４は、混成流インペラの形態とされている。インペラ６４は、モータ６８から外向きに延びる回転軸６６に接続される。この実施形態において、モータ６８はＤＣブラシレスモータであり、その速度は、ユーザによるボタン２６の操作及び／又は遠隔制御器３５から受け取った信号に応答して、主制御回路５２のＤＣモータ駆動部６９により可変である。
【００６１】
ユーザインタフェースは、モータ６８の回転速度に関して予め規定されたいくつかの異なる設定値の１つをユーザが選択することを可能にする。この例では、ユーザインタフェースは１０個の異なる速度設定値を有し、ユーザは、遠隔制御器３５又は本体１２のボタン２６を使用して設定値「１」から「１０」を選択することができる。速度設定値がユーザにより変更されると、選択された速度設定値の数は、ディスプレイ３２に表示することができる。
【００６２】
モータ６８は、下側部分７２に接続された上側部分７０を含むモータバケットに収容される。モータバケットの上側部分７０は、螺旋ブレードを有する静止ディスクの形態とされたディフューザ７４を含む。モータバケットは、ほぼ載頭円錐形状のインペラハウジング７６内に配置され、かつこの上に装着される。インペラハウジング７６は、次に、基部１２の主本体部分２０内に配置されかつこれに接続された複数の角度的に離間した支持体７７、この例では３つの支持体上に装着される。インペラ６４及びインペラハウジング７６は、インペラ６４がインペラハウジング７６の内面に近接するが、これに接触しないような形状を有する。実質的に環状の入口部材７８が、インペラハウジング７６の底部に接続され、１次空気流をインペラハウジング７６に案内する。
【００６３】
インペラハウジング７６上に、可撓性密封部材８０が装着される。可撓性密封部材は、空気がインペラハウジングの外面の周囲を流れて入口部材７８内へ入るのを防止する。密封部材８０は、好ましくはゴムで形成された環状のリップシールを含むことが好ましい。密封部材８０は、電気ケーブル８２をモータ６８に案内するグロメットの形態とされた案内部分を更に含む。電気ケーブル８２は、本体１２の主本体部分２０及び下側本体部分２２に、並びにインペラハウジング７６及びモータバケットに形成された開口を通って主制御回路５２からモータ６８に延びる。
【００６４】
好ましくは、本体１２は、本体１２から放出されるノイズを低減する消音発泡体を含む。この実施形態において、本体１２の主本体部分２０は、空気入口１４の下方に配置された第１の環状発泡部材８４と、モータバケット内に配置された第２の環状発泡部材８６とを含む。
【００６５】
ここで図４から図１１を参照して、ノズル１６をより詳細に説明する。最初に図４を参照すると、ノズル１６は、環状の内側ケーシング部分９０に接続されかつその周りに延びる環状の外側ケーシング部分８８を含む。これらの部分の各々は、複数の接続構成要素から形成することができるが、この実施形態において、ケーシング部分８８、９０の各々は、それぞれの単一の成形構成要素から形成される。内側ケーシング部分９０は、ノズル１６の中心開口部４０を形成し、コアンダ面４２、ディフューザ面４４、ガイド面４６、及びテーパ面４８を形成する形状を有する外面９２を有する。
【００６６】
外側ケーシング部分８８及び内側ケーシング部分９０は、一緒にノズル１６の環状の内部通路を形成する。図９及び図１１に示すように、内部通路は、開口部４０の周りに延びるので、開口部４０のそれぞれの細長い側面に各々隣接する比較的直線の部分９４ａ、９４ｂと、直線部分９４ａ、９４ｂの上端を結合する上側湾曲部分９４ｃと、直線部分９４ａ、９４ｂの下端を結合する下側湾曲部分９４ｄとを含む。内部通路は、外側ケーシング部分８８の内面９６及び内側ケーシング部分９０の内面９８により境界付けられる。
【００６７】
図１から図３にも示すように、外側ケーシング部分８８は、基部１２の主本体部分２０の開放上端へかつこの上に接続された基部１００を含む。外側ケーシング部分８８の基部１００は、基部１２の空気出口２３から１次空気流がそこを通って内部通路の下部湾曲部分９４ｄに入る空気入口１０２を含む。下部湾曲部分９４ｄ内で、１次空気流は、２つの空気ストリームに分れ、各々が内部通路の直線部分９４ａ、９４ｂのそれぞれの１つに流入する。
【００６８】
ノズル１６はまた、１対の加熱器組立体１０４を含む。各加熱器組立体１０４は、並んで配置された一列の加熱器要素１０６を含む。加熱器要素１０６は、好ましくは、正温度係数（ＰＴＣ）セラミック材料から形成される。加熱器要素の列は、２つの熱放射構成要素１０８の間に挟まれ、その各々は、フレーム１１２内に配置された熱放射フィン１１０のアレイを含む。熱放射構成要素１０８は、好ましくは、高い熱伝導率（約２００から４００Ｗ／ｍＫ）を有するアルミニウム又は他の材料から形成され、シリコーン接着剤のビードを使用して又は締結機構により、加熱器要素１０６の列に取り付けることができる。加熱器要素１０６の側面は、好ましくは、金属フィルムで少なくとも部分的に覆われ、加熱器要素１０６と熱放射構成要素１０８の間に電気接点を設けている。このフィルムは、スクリーン印刷又はスパッタアルミニウムから形成することができる。図３及び４に戻ると、加熱器組立体１０４の両端に配置された電気端子１１４、１１６は、それぞれの熱放射構成要素１０８に各々接続される。各端子１１４は、電力を加熱器組立体１０４へ供給するｌｏｏｍの上側部分１１８に接続されるが、各端子１１６は、ｌｏｏｍの下側部分１２０に接続される。ｌｏｏｍは、次に、基部１２の主本体部分２０に配置された加熱器制御回路１２２にワイヤ１２４で接続される。加熱器制御回路１２２は、主制御回路５２から加熱器制御回路１２２へ供給される制御信号により制御される。
【００６９】
図１２は、制御回路３３、５２、１２２、ボタン２４、２６、２８、３０、及び遠隔制御器３５を含むファン組立体１０の制御システムを概略的に示している。制御回路３３、５２、１２２のうちの２つ又はそれよりも多くは、組み合わせることができ、単一の制御回路を形成する。加熱器制御回路１２２は、加熱器組立体１０４の加熱器要素１０６を制御する２つのトライアック回路１２５を含む。ファン組立体１０に入る１次空気流の温度を表示するサーミスタ１２６が、加熱器制御回路１２２に接続される。図３に示すように、サーミスタ１２６は、空気入口１４のすぐ背後に配置することができる。加熱器制御回路１２２は、更に、加熱器組立体１０４の加熱器要素１０６により引き出される電流のマグニチュードを検出する供給電流感知回路１２７を含む。
【００７０】
ユーザは、ユーザインタフェースのボタン２８又は遠隔制御器３５の対応するボタンの押圧により、望ましい室温又は温度設定値を設定することができる。ユーザインタフェース制御回路３３は、ボタン２８又は遠隔制御器３５の対応するボタンの操作に応答して、ディスプレイ３２に表示される温度を変更するように構成される。この例では、ディスプレイ３２は、ユーザにより選択された望ましい室温に対応可能な温度設定値を表示するように構成される。代わりに、ディスプレイ３２は、ユーザにより選択されたいくつかの異なる設定値の１つを表示するように構成することができる。
【００７１】
主制御回路５２は、ユーザインタフェース制御回路３３、首振り機構５６、モータ６８、及び加熱器制御回路１２２に制御信号を供給し、一方、加熱器制御回路１２２は、加熱器組立体１０４に制御信号を供給する。加熱器制御回路１２２はまた、サーミスタ１２６により検出された温度を示す信号を主制御回路５２に供給する。加熱器組立体１０４は、一般的な制御信号により同時に制御することができ、又はそれらは、それぞれの制御回路により制御することができる。
【００７２】
加熱器組立体１０４は、内部通路のそれぞれの直線部分９４ａ、９４ｂ内にシャーシ１２８により各々保持される。図５に、シャーシ１２８は、より詳細に示されている。シャーシ１２８は、ほぼ環状の構造を有する。シャーシ１２８は、加熱器組立体１０４がそこに挿入される１対の加熱器ハウジング１３０を含む。各加熱器ハウジング１３０は、外壁１３２及び内壁１３４を含む。内壁１３４は、加熱器ハウジング１３０の上端及び下端１３８、１４０で外壁１３２に接続され、加熱器ハウジング１３０は、その前端及び後端が開放される。従って、壁１３２、１３４は、加熱器ハウジング１３０内に配置された加熱器組立体１０４を通過する第１の空気流チャンネル１３６を形成する。
【００７３】
加熱器ハウジング１３０は、シャーシ１２８の上側及び下側湾曲部分１４２、１４４により互いに接続される。各湾曲部分１４２、１４４はまた、内向きに湾曲したほぼＵ字形断面を有する。シャーシ１２８の湾曲部分１４２、１４４は、加熱器ハウジング１３０の内壁１３４に接続され、好ましくは、これと一体である。加熱器ハウジング１３０の内壁１３４は、前端１４６及び後端１４８を有する。図６から図９も参照すると、各内壁１３４の後端１４８も、隣接する外壁１３２から離れるように内向きに湾曲し、内壁１３４の後端１４８は、シャーシ１２８の湾曲部分１４２、１４４と実質的に連続している。
【００７４】
ノズル１６の組み立て中に、シャーシ１２８は、内側ケーシング部分９０の後端の上に押し込まれ、シャーシ１２８の湾曲部分１４２、１４４及び加熱器ハウジング１３０の内壁１３４の後端１４８は、内側ケーシング部分９０の後端１５０に包み込まれる。内側ケーシング部分９０の内面９８は、加熱器ハウジング１３０の内壁１３４と係合して内壁１３４を内側ケーシング部分９０の内面９８から離間させる第１の組の隆起スペーサ１５２を含む。内壁１３４の後端１４８はまた、内側ケーシング部分９０の外面９２と係合して外面９２から内側ケーシング部分９０の内壁１３４の後端を離間させる第２の組のスペーサ１５４を含む。
【００７５】
従って、シャーシ１２８の加熱器ハウジング１３０の内壁１３４と内側ケーシング部分９０とは、２つの第２の空気流チャンネル１５６を形成する。第２の流れチャンネル１５６の各々は、内側ケーシング部分９０の内面９８に沿ってかつ内側ケーシング部分９０の後端１５０の周囲に延びる。各第２の流れチャンネル１５６は、加熱器ハウジング１３０の内壁１３４により、それぞれの第１の流れチャンネル１３６から分離される。各第２の流れチャンネル１５６は、内側ケーシング部分９０の外面９２と内壁１３４の後端１４８の間に配置された空気出口１５８で終端する。従って、各空気出口１５８は、組み立てられたノズル１６の開口部４０のそれぞれの側に配置された垂直に延びるスロットの形態とされる。各空気出口１５８は、好ましくは、０．５ｍｍから５ｍｍの範囲の幅を有し、この例では、空気出口１５８の幅は約１ｍｍである。
【００７６】
シャーシ１２８は、内側ケーシング部分９０の内面９８に接続される。図５から図７を参照すると、加熱器ハウジング１３０の内壁１３４の各々は１対の開口１６０を含み、各開口１６０は、内壁１３４の上端及び下端のそれぞれの１つに又はこれに向けて配置される。シャーシ１２８が内側ケーシング部分９０の後端の上に押し込まれると、加熱器ハウジング１３０の内壁１３４は、内側ケーシング部分９０の内面９８上に装着され、好ましくはこれと一体でその後開口１６０を通って突出する弾性キャッチ１６２の上を滑る。次に、内側ケーシング部分９０に対するシャーシ１２８の位置は、調節可能であり、内壁１３４がキャッチ１６２により把持される。内側ケーシング部分９０の内面９８上に装着され、好ましくは同じくこれと一体の停止部材１６４も、内側ケーシング部分９０上にシャーシ１２８を保持するように機能することができる。
【００７７】
シャーシ１２８が内側ケーシング部分９０に接続された状態で、加熱器組立体１０４は、シャーシ１２８の加熱器ハウジング１３０と加熱器組立体１０４に接続されたｌｏｏｍとの中に挿入される。勿論、加熱器組立体１０４は、シャーシ１２８の内側ケーシング部分９０への接続前にシャーシ１２８の加熱器ハウジング１３０に挿入することができる。図９に示すように、ノズル１６の内側ケーシング部分９０は、次に、ノズル１６の外側ケーシング部分８８に挿入され、外側ケーシング部分８８の前端１６６が、内側ケーシング部分９０の前方に配置されたスロット１６８に入る。外側及び内側ケーシング部分８８、９０は、スロット１６８に注入された接着剤を使用して互いに接続することができる。
【００７８】
外側ケーシング部分８８は、外側ケーシング部分８８の内面９６の一部が、シャーシ１２８の加熱器ハウジング１３０の外壁１３２の周囲に延びて実質的にこれと平行な形状とされる。加熱器ハウジング１３０の外壁１３２は、前端１７０及び後端１７２と、外壁１３２の外面上に配置されて外壁１３２の端部１７０、１７２間を延びる１組のリブ１７４とを有する。リブ１７４は、外側ケーシング部分８８の内面９６と係合するように構成され、外壁１３２を外側ケーシング部分８８の内面９６から離間させている。従って、シャーシ１２８の加熱器ハウジング１３０の外壁１３２及び外側ケーシング部分８８は、２つの第３の空気流チャンネル１７６を形成する。第３の流れチャンネル１７６の各々は、外側ケーシング部分８８の内面９６に隣接して配置され、かつこれに沿って延びる。各第３の流れチャンネル１７６は、加熱器ハウジング１３０の外壁１３２により、それぞれの第１の流れチャンネル１３６から分離される。各第３の流れチャンネル１７６は、加熱器ハウジング１３０の外壁１３２の後端１７２と外側ケーシング部分８８との間で内部通路内に配置された空気出口１７８で終端する。各空気出口１７８も、ノズル１６の内部通路内に配置された垂直に延びるスロットの形態であり、好ましくは、５ｍｍから５ｍｍの範囲の幅を有する。この例では、空気出口１７８の幅は、約１ｍｍである。
【００７９】
外側ケーシング部分８８は、加熱器ハウジング１３０の内壁１３４の後端１４８の一部の周囲で内向きに湾曲する形状を有する。内壁１３４の後端１４８は、内壁１３４に対して第２の組のスペーサ１５４とは反対側に配置された第３の組のスペーサ１８２を備え、これらは、外側ケーシング部分８８の内面９６と係合して、内壁１３４の後端を外側ケーシング部分８８の内面９６から離間させるように配置される。従って、外側ケーシング部分８８及び内壁１３４の後端１４８は、更に別の２つの空気出口１８４を形成する。各空気出口１８４は、空気出口１５８のそれぞれの１つに隣接して配置され、各空気出口１５８は、それぞれの空気出口１８４と内側ケーシング部分９０の外面９２との間に配置される。空気出口１５８と同様に、各空気出口１８４は、組み立てられたノズル１６の開口部４０のそれぞれの側に配置され垂直に延びるスロットの形態とされる。空気出口１８４は、好ましくは、空気出口１５８と同じ長さを有する。各空気出口１８４は、０．５ｍｍから５ｍｍの範囲の幅を有し、この例では、空気出口１８４の幅は約２ｍｍから３ｍｍである。従って、ファン組立体１０から１次空気流を放出する空気出口１８は、２つの空気出口１５８及び２つの空気出口１８４を含む。
【００８０】
図３及び４に戻ると、ノズル１６は、好ましくは、２つの湾曲した密封部材１８６、１８８を含み、その各々は、外側ケーシング部分８８と内側ケーシング部分９０の間にシールを形成し、ノズル１６の内部通路の湾曲部分９４ｃ、９４ｄからの空気の漏れを実質的になくしている。各密封部材１８６、１８８は、内部通路の湾曲部分９４ｃ、９４ｄ内に配置された２つのフランジ１９０、１９２間に挟まれている。フランジ１９０は、内側ケーシング部分９０上に装着され、好ましくはこれと一体であるのに対して、フランジ１９２は、外側ケーシング部分８８上に装着され、好ましくはこれと一体である。ノズル１６は、内部通路の上部湾曲部分９４ｃからの空気流の漏れを防止する代わりに、空気流がこの湾曲部分９４ｃに入るのを防止するように構成することができる。例えば、内部通路の直線部分９４ａ、９４ｂの上端は、組み立て中に内側及び外側ケーシング部分８８、９０間に挿入されるシャーシ１２８により又は挿入部分によって遮断することができる。
【００８１】
ファン組立体１０を作動させるために、ユーザは、ユーザインタフェースのボタン２４を押圧するか又は遠隔制御器３５の対応するボタンを押圧して、ユーザインタフェース回路３３のセンサが受け取った信号を送り出す。ユーザインタフェース回路３３は、この作用を主制御回路５２へ伝える。主制御回路５２は、ユーザインタフェースを使用してユーザにより選択されてユーザインタフェース回路３３から提供される温度Ｔsを分析する。この例では、ユーザにより選択された温度Ｔsが最小値、例えば、０°の場合、ファン組立体１０は、第１の作動モードに入る。この例では、第１の作動モードはファンモードであり、一方、加熱器組立体１０４は作動されない。ユーザインタフェースは、点灯されてファン組立体１０がファンモードにあることを表示する第１のＬＥＤ２００を含む。第１のＬＥＤ２００は、青色ＬＥＤとすることができ、ボタン２４の背後に配置されて、ファン組立体１０がファンモードにある時にボタン２４の周囲が青く見えるようにしている。
【００８２】
このファンモードにおいて、主制御回路５２は、以下に列挙する第１の値域からモータ６８の回転速度を選択する。第１の値域内の各値は、ユーザ選択可能速度設定値のうちのそれぞれの１つに関連付けられている。
【００８３】
（表）
0005891547.tif 000004
【００８４】
例えば、ユーザが速度設定値７を選択したならば、モータ６８は、７，６００ｒｐｍで回転する。回転するインペラ６４によりファン組立体１０内へ引き込まれる１次空気流は、インペラハウジング７６及び主本体部分２２の開放上端を順に通過してノズル１６の内部通路の下方湾曲部分９４ｄに入る。ノズル１６の内部通路の下方湾曲部分９４ｄ内で、１次空気流は、ノズル１６の開口部４０の周りで互いに反対方向へ流れる２つの空気ストリームに分割される。空気流ストリームの一方は、開口部４０の一側に配置された内部通路の直線部分９４ａに入るが、他方の空気流ストリームは、開口部４０の他側に配置された内部通路の直線部分９４ｂに入る。空気ストリームが、直線部分９４ａ、９４ｂを通過する時に、それは、ノズル１６の空気出口１８に向けて約９０°向きを変える。直線部分９４ａ、９４ｂの長さに沿って均等に空気ストリームを空気出口１８に向けるために、ノズル１６は、直線部分９４ａ、９４ｂ内に配置されて静止した複数のガイドベーンを含むことができ、その各々は、空気ストリームの一部を空気出口１８に向ける。ガイドベーンは、好ましくは、内側ケーシング部分９０の内面９８と一体である。ガイドベーンは、好ましくは、湾曲して、空気流は、それが空気出口１８に向けられる時に速度の大きな損失がないようになっている。各直線部分９４ａ、９４ｂ内で、ガイドベーンは、好ましくは、実質的に垂直に整列しかつ均等に離間して、ガイドベーン間に複数の通路を形成し、空気は、この通路を通して空気出口１８へ比較的均等に向けられる。
【００８５】
空気出口１８から放出された１次空気流は、ノズル１６のコアンダ面４２の上を通過し、外部環境から、特に、空気出口１８の周囲の領域から及びノズルの後方の周囲からの空気の取り込みにより、２次空気流を発生させる。この２次空気流は、ノズル１６の開口部４０を通過し、そこで２次空気流は１次空気流と結合し、ファン組立体１０から前方に放出される全体の空気流を生成する。
【００８６】
ユーザにより選択された温度Ｔsが、例えば１℃から３２℃の範囲の最小値を超える場合、ファン組立体１０は第２の作動モードに入る。この例では、第２の作動モードは、加熱器モードである。ユーザインタフェースは、点灯してファン組立体１０がファンモードにあることを表示する第２のＬＥＤ２０２を含む。第２のＬＥＤ２０２は赤色ＬＥＤとすることができ、ボタン２４の背後に配置されて、ファン組立体１０がファンモードにある時にボタン２４の周囲が赤色に見えるようにしている。
【００８７】
主制御回路５２は、ユーザが選択した温度Ｔsをサーミスタ１２６により検出されて加熱器制御回路１２２によって提供された時のファン組立体１０内の又はこれを通過する空気の温度Ｔaと比較する。Ｔa＜Ｔsの場合、主制御回路５２は、加熱器制御回路１２２に指示して加熱器組立体１０４を駆動する。
【００８８】
ファン組立体１０が加熱器モードに入った場合、主制御回路５２は、第１の作動期間を開始し、そこでは、主制御回路５２は、最初に、加熱器組立体１０４により引き出され、供給電流検出回路１２７により検出され、加熱器制御回路１２２により主制御回路５２へ伝えられる電流Ｉの検出されたマグニチュードに応じて、モータ６８の回転速度を制御する。加熱器組立体１０４の駆動時に、この電流は、加熱器組立体１０４により引き出される突入電流である。引き出される電流の検出されたマグニチュードに応じて、主制御回路５２は、モータ６８の回転速度をモータ６８の回転速度に関する非ユーザ選択可能値域の１つに設定する。この非ユーザ選択可能な範囲は、最小値が１，０００ｒｐｍとすることができ、最大値が供給電圧に応じて選択され、供給電圧１００Ｖに対して最大値が４，０００ｒｐｍであり、供給電圧１２０Ｖ、２３０Ｖ、又は２４０Ｖに対して最大値が４，８００ｒｐｍである。
【００８９】
上述のように、第１の作動期間の開始時に主制御回路５２で設定される回転速度のマグニチュードは、加熱器組立体１０４により引き出される突入電流のマグニチュードに依存する。突入電流が比較的低い場合、主制御回路は、モータ６８の回転速度を非ユーザ選択可能値域と比べて比較的低い値に設定するが、突入電流が比較的高い場合、主制御回路は、モータ６８の回転速度を非ユーザ選択可能値域と比べて比較的高い値に設定する。検出された突入電流が設定値Ｉmax1よりも大きい場合、主制御回路５２は、モータ６８の回転速度を非ユーザ選択可能値域内で最高の回転速度に設定する。ここでも、Ｉmax1の値は、供給電圧に従って設定され、この例では、供給電圧２４０Ｖに対してＩmax1＝５．４Ａであるが、供給電圧１００Ｖに対してＩmax1＝７．５Ａ、供給電圧１２０Ｖに対してＩmax1＝７．８Ａ、かつ供給電圧２３０Ｖに対してＩmax1＝５．５Ａである。
【００９０】
空気ストリームが空気出口１８に向けて流れる時に、１次空気流の第１の部分は、シャーシ１２８の壁１３２、１３４間に配置された第１の空気流チャンネル１３６に入る。内部通路内で１次空気流を２つの空気ストリームに分けるおかげで、各第１の空気流チャンネル１３６は、それぞれの空気ストリームの第１の部分を受け入れると考えることができる。１次空気流の各第１の部分は、それぞれのファン組立体１０４を通過する。作動された加熱組立体により発生する熱は、対流により１次空気流の第１の部分へ伝達され、１次空気流の第１の部分の温度を上昇させる。
【００９１】
１次空気流の第２の部分は、加熱器ハウジング１３０の内壁１３４の前端１４６により第１の空気流チャンネル１３６から離れるようにそらされ、１次空気流のこの第２の部分は、内側ケーシング部分９０と加熱器ハウジング１３０の内壁の間に配置された第２の空気流チャンネル１５６に入る。ここでも、内部通路内で１次空気流を２つの空気ストリームに分けることにより、各第２の空気流チャンネル１５６は、それぞれの空気ストリームの第２の部分を受け入れると考えることができる。１次空気流の各第２の部分は、内側ケーシング部分９０の内面９２に沿って通過し、比較的熱い空気流と内側ケーシング部分９０の間の熱障壁として作用する。第２の空気流チャンネル１５６は、内側ケーシング部分９０の後壁１５０の周囲に延びるように構成され、空気流の第２の部分の流れ方向を反対にし、その結果、第２の部分は、空気出口１５８を通ってファン組立体１０の前方に及び開口部４０を通して放出される。空気出口１５８は、１次空気流の第２の部分をノズル１６の内側ケーシング部分９０の外面９２の上に向けるように構成される。
【００９２】
１次空気流の第３の部分も、第１の空気流チャンネル１３６から離れるようにそらされる。１次空気流のこの第３の部分は、加熱器ハウジング１３０の外壁１３２の前端１７０の近くを流れ、該１次空気流の第３の部分は、外側ケーシング部分８８と加熱器ハウジング１３０の外壁１３２の間に配置された第３の空気流チャンネル１７６に入る。ここでも、各第３の空気流チャンネル１７６は、１次空気流を内部通路内で２つの空気ストリームに分けることにより、それぞれの空気ストリームの第３の部分を受け入れると考えることができる。１次空気流の各第３の部分は、外側ケーシング部分８８の内面９６に沿って通過し、それによって比較的熱い１次空気流と外側ケーシング部分８８の間の熱障壁として作用する。第３の空気流チャンネル１７６は、１次空気流の第３の部分を内部通路内に配置された空気出口１７８に運ぶように構成される。１次空気流の第３の部分は、空気出口１７８から放出されると、１次空気流の第１の部分と合流する。１次空気流のこれらの合流部分は、外側ケーシング部分８８の内面９６と加熱器ハウジングの内壁１３４の間の空気出口１８４まで運ばれるので、１次空気流のこれらの部分の流れ方向も内部通路内で反対になる。空気出口１８４は、１次空気流の比較的熱い合流した第１部分及び第３の部分を空気出口１５８から放出される１次空気流の比較的冷たい第２の部分の上に向けるように構成され、第２の部分は、内側ケーシング部分９０の外面９２と空気出口１８４から放出される比較的高温の空気の間の熱障壁として作用する。その結果、ノズル１６の内面及び外面の大部分は、ファン組立体１０から放出された比較的熱い空気から遮蔽される。それによってファン組立体１０の使用中に、ノズル１６の外面は、７０℃よりも低い温度に維持することができる。
【００９３】
主制御回路５２は、加熱器組立体１０４により引き出される電流の検出されたマグニチュードのモニタリングを継続する。加熱器組立体により引き出される電流のマグニチュードは、０．５秒間隔でモニタされる。空気が加熱器組立体１０４の加熱要素１０６の上を流れる時に、加熱器組立体１０４により引き出される電流は、突入電流から上昇する傾向がある。突入電流の検出されたマグニチュードがＩmax1よりも低い場合、加熱器組立体１０４により引き出される電流の検出されたマグニチュードがＩmax1に向けて上昇する時に、主制御回路５２は、モータ６８の回転速度に関する非ユーザ選択可能値域内でモータ６８の回転速度を最大値に向けて上昇させる。主制御回路５２のこの第１の作動期間中、ユーザにより選択されたいずれの速度設定値も主制御回路５２により格納されるが、それに対して作用されない。
【００９４】
第１の作動期間中、主制御回路は、加熱器組立体１０４により引き出される電流のマグニチュード及び加熱器組立体１０４により引き出される電流のマグニチュードの変化率の両方をモニタする。主制御回路５２のこの第１の作動期間は、２つの条件の一方が満たされた時に終了する。
【００９５】
第１の条件は、加熱器組立体１０４により引き出される電流のマグニチュードの変化率が低下して設定値Ａよりも小さいことである。上述のように、加熱器組立体により引き出される電流のマグニチュードは、０．５秒毎に検出される。主制御回路は、引き出される電流の連続的な検出と検出の間の加熱器組立体により引き出される電流のマグニチュードの変化を測定する。換言すれば、主制御回路５２は、第１及び第２の引き出される電流検出の間の加熱器組立体により引き出される電流のマグニチュードの変化、第２及び第３の引き出される電流検出の間の、加熱器組立体により引き出される電流のマグニチュードの変化等々を検出する。加熱器組立体１０４により引き出される電流のマグニチュードの変化が、連続的な測定の所定回数にわたって設定値を下回れば、第１の条件は満たされる。設定値のマグニチュード及び連続的な測定の回数は、供給電圧に応じて選択される。例えば、供給電圧１００Ｖ又は１２０Ｖに対して設定値は０．２Ａであり、連続的な測定の所定回数は２０であるが、供給電圧２３０Ｖ又は２４０Ｖに対して設定値は０．１５Ａであり、連続的な測定の所定回数は１４である。
【００９６】
第２の条件は、加熱器組立体１０４により引き出される電流のマグニチュードが、加熱装置の定格電流である電流上限値Ｉmax2を上回り、かつＩmax2＞Ｉmax1になることである。Ｉmax2の値も、供給電圧に応じて設定される。例えば、Ｉmax2は、供給電圧２４０Ｖに対して８．９Ａ、供給電圧１００Ｖに対して１２．６Ａ、供給電圧１２０Ｖに対して１３．１Ａ、及び供給電圧２３０Ｖに対して９．１Ａに設定される。
【００９７】
第１の条件及び第２の条件のいずれかが満たされると、第１の作動期間が終了し、主制御回路５２は、第２の作動期間に入る。この第２の作動期間の開始時に、主制御回路５２は、モータの回転速度に関する複数の第２の値域の１つからモータの回転速度を選択する。この例では、主制御回路５２は、以下の表に説明されたモータの回転速度に関する８つの第２の値域の１つからモータの回転速度を選択する。
【００９８】
（表）
0005891547.tif 000005
【００９９】
第２の作動期間の開始時に、主制御回路５２は、最高の第２の値域、この例では第２の速度範囲８から、ユーザが選択した速度設定値に従ってモータの回転速度を選択する。例えば、ユーザが速度設定値７を選択したならば、モータは、第２の作動期間の開始時に６，１５０ｒｐｍで回転する。
【０１００】
主制御回路５２は、加熱器組立体１０４により引き出される電流のマグニチュードのモニタリングを継続する。この第２の作動期間中、連続的な電流検出間の持続時間は、第１の作動期間での連続的な電流検出間の持続時間よりも長く、第１の作動期間中の０．５秒に対して、好ましくは、１０秒に設定される。
【０１０１】
第２の作動期間中に、加熱器組立体１０４により引き出される電流のマグニチュードが上昇して電流上限値Ｉmax2を上回った場合、主制御回路５２は、モータ６８の回転数を次に低い第２の値域、この例では第２の速度範囲７から選択することにより、モータ６８の回転速度を低下させる。例えば、ユーザが速度設定値７を選択すると、モータの回転速度は、６，０００ｒｐｍへ低下する。検出電流が電流上限値Ｉmax2よりも低く低下しない場合には、主制御回路５２は、次に低い第２の値域からモータ６８の回転数を選択することにより、モータ６８の回転速度を低下させる。モータの回転速度のこの低下は、加熱器組立体１０４により引き出される電流の検出されたマグニチュードが電流上限値max2よりも小さいように低下するまで継続される。
【０１０２】
加熱器組立体１０４により引き出される電流のマグニチュードが電流上限値を上回り、かつモータ６８の回転速度が、最低の第２の値域、ここでは第２の速度範囲１から選択された場合、主制御回路５２は、加熱器組立体１０４及びモータ６８の両方の駆動を終了し、ユーザインタフェース制御回路３３へ指令を発して、ディスプレイ３２上にエラーメッセージを表示する。
【０１０３】
他方、モータ６８の回転速度のそのような低下に追随して、加熱器組立体１０４により引き出される電流のマグニチュードが減少して電流下限値Ｉmin2を下回り、Ｉmin2＜Ｉmax2である場合、主制御回路５２は、モータの回転速度を元のユーザ選択値に向けて上昇させて、加熱器組立体１０４を通る空気流量を上昇させ、ファン組立体１０により引き出される電力を潜在的に上昇させる。上述のモータ６８の回転速度の徐々に起こる低下は、その次に高い第２の値域からモータ６８の回転速度を選択することによって反転される。
【０１０４】
加熱器組立体１０４により引き出される電流の検出されたマグニチュードが、電流下限値Ｉmin2を下回ったままであれば、この徐々に起こるモータ６８の回転速度の上昇は、モータ６８の回転速度が最高の第２の値域から選択されるまで続く。Ｉmin2の値も、供給電圧に従って設定される。例えば、Ｉmin2は、供給電圧２４０Ｖに対して８．５Ａ、供給電圧１００Ｖに対して１２．２Ａ、供給電圧１２０Ｖに対して１２．７Ａ、及び供給電圧２３０Ｖに対して８．７に設定される。
【０１０５】
上述のように、主制御回路５２は、ファン組立体１０へ供給される電圧のマグニチュードを検出する供給電圧感知回路６２を含む。供給電圧のマグニチュードが電圧下限値を下回り、かつ加熱器組立体により引き出される電流の検出されたマグニチュードが、第１の作動期間中にモニタされる設定値よりも小さい場合、主制御回路５２は、第２の作動期間を終了し、第３の作動期間に入る。ここでも、電圧下限値が、供給電圧に応じて設定され、供給電圧２２０Ｖ又は２４０Ｖに対して１８０Ｖ、又は供給電圧１００Ｖ又は１２０Ｖに対して９０Ｖに設定される。この第３の作動期間では、主制御回路５２は、加熱器組立体１０４により引き出される電流の検出されたマグニチュードに応じて、モータの回転速度をモータ６８の回転速度に関する非ユーザ選択可能値域の１つに設定するように構成される。加熱器組立体１０４により引き出される電流の検出されたマグニチュードが上昇して設定値を超える場合、主制御回路５２は、第１の作動期間を再開する。
【０１０６】
外界空気の温度が上昇する時に、空気入口１４を通じてファン組立体１０内へ引き込まれる１次空気流の温度Ｔaも上昇する。この１次空気流を表す信号は、サーミスタ１２６から加熱器制御回路１２２へ出力される。ＴaがＴsを１℃超えると、加熱器制御回路１２２は、加熱器組立体１０４を停止させ、主制御回路５２は、モータ６８の回転速度を１，０００ｒｐｍへ低下させる。１次空気流の温度が低下してＴsを約１℃下回ると、加熱器制御回路１２２は、加熱器組立体１０４を再駆動し、主制御回路５２は第１の作動期間を再開させる。それによってファン組立体１０が配置された室内又は他の環境での温度は、比較的一定に維持することができる。
【符号の説明】
【０１０７】
１０  ファン組立体
１２  本体
１４  空気入口
１６  ノズル
１８  空気出口
４０  開口部
【図１】
0005891547.tif 000006
【図２】
0005891547.tif 000007
【図３】
0005891547.tif 000008
【図４】
0005891547.tif 000009
【図５】
0005891547.tif 000010
【図６】
0005891547.tif 000011
【図７】
0005891547.tif 000012
【図８】
0005891547.tif 000013
【図９】
0005891547.tif 000014
【図１０】
0005891547.tif 000015
【図１１】
0005891547.tif 000016
【図１２】
0005891547.tif 000017